(57)【要約】【課題】１人での組立屋台の組立および分解を可能にするとともに、分解後は軽自動車での運搬を可能にする。【解決手段】正面腰板１と左右側面腰板１１，１２を抜き差し蝶番で連結し、その四隅に角パイプ１７，１８，２１，２２を立て、後の角パイプ２１，２２の中間を横支柱２３で支え、前後の角パイプの間の下部分に左右の側板２４，２５を嵌め、前の角パイプ１７，１８の上端に前桁２６を渡し、後ろの角パイプ２１，２２の間に後桁２７を渡し、さらに前桁２６の両端と後桁２７の両端にそれぞれ左右の梁２８，２９を渡して屋根枠を形成し、その上に前屋根３１および後屋根３２を覆い、左右側面と後部上面に引き戸３５〜３８，４１，４２を嵌め込み、後部下面に開閉扉３３，３４を取り付け、前面に煽り戸４３を取り付ける。【選択図】  図５
2004270138.tif 000002
【特許請求の範囲】
【請求項１】
正面腰板と左右側面の腰板を連結し、その上端四隅にそれぞれパイプを立て、後の２本のパイプの間の中間下寄りの位置を横支柱により連結し、前後の各パイプの間の下部分にそれぞれ左右の側板を嵌め、前の左右のパイプの上端を前桁により連結し、後の左右のパイプの上端を後桁により連結し、前桁の両端と後桁の両端をそれぞれ左右の梁により連結して屋根枠を形成し、その屋根枠の上を前屋根板および後屋根板により覆い、背面下部の開口部に左右１対の開閉扉を取り付け、背面上部の開口部および左右側面の開口部にそれぞれ１対の引き戸を嵌め込み、正面開口部に煽り戸を取り付けたことを特徴とする組立屋台。
【請求項２】
左右端部が後方に折り返された形状であるとともに左右の角上部にそれぞれ垂直方向の角パイプ挿入穴が形成された正面腰板と、
この正面腰板の右後端に抜き差し蝶番により連結されるとともに後端上部に垂直方向の角パイプ挿入穴が形成された右側面腰板と、
前記正面腰板の左後端に抜き差し蝶番により連結されるとともに後端上部に垂直方向の角パイプ挿入穴が形成された左側面腰板と、
前記正面腰板の角パイプ挿入穴にそれぞれ抜き差し自在挿入されるとともに後面下部に垂直方向の凹溝が形成されかつ上端部に段差を有する左右１対の前角パイプと、
前記右側面腰板の角パイプ挿入穴に抜き差し自在に挿入されるとともに前面下部に垂直方向の凹溝が形成されかつ左面の中間下寄りの位置に係止片が突設されさらに上端部に段差を有する右後角パイプと、
前記左側面腰板の角パイプ挿入穴に抜き差し自在に挿入されるとともに前面下部に垂直方向の凹溝が形成されかつ右面の中間下寄りの位置に係止片が突設されさらに上端部に段差を有する左後角パイプと、
両端が右後角パイプの係止片と左後角パイプの係止片にそれぞれ係止されるとともに右後角パイプと左後角パイプにそれぞれパチン錠により連結されかつ上面長手方向に上向きの２列の凹溝が形成された横支柱と、
右の前角パイプの凹溝と右後角パイプの凹溝に両端が着脱自在に挿入されるとともに上辺に上向きの２列の凹溝が形成された右側板と、
左の前角パイプの凹溝と左後角パイプの凹溝に両端が着脱自在に挿入されるとともに上辺に上向きの２列の凹溝が形成された左側板と、
両端に左右の前角パイプの上端段差部がそれぞれ抜き差し自在に挿通されるメガネ状の連結部が形成された前桁と、
両端に左右の後角パイプの上端段差部がそれぞれ抜き差し自在に挿通されるメガネ状の連結部が形成されるとともに下面長手方向に下向きの２列の凹溝が形成された後桁と、
前桁と後桁の右端の連結部をそれぞれ挿通した右の前後角パイプの上端が抜き差し自在に挿入される角パイプ挿入穴が両端に形成されるとともに下面長手方向に下向きの２列の凹溝が形成された右梁と、
前桁と後桁の左端の連結部をそれぞれ挿通した左の前後角パイプの上端が抜き差し自在に挿入される角パイプ挿入穴が両端に形成されるとともに下面長手方向に下向きの２列の凹溝が形成された左梁と、
各角パイプに挿入された前後の桁と左右の梁により形成される屋根枠の前半部を上方より覆う前屋根と、
各角パイプに挿入された前後の桁と左右の梁により形成される屋根枠の後半部を上方より覆うとともに前屋根と下面側でパチン錠により連結される後屋根と、
左右の側面腰板の後端内側および左右の後角パイプの下部内側にそれぞれ抜き差し蝶番により開閉自在に連結される左右１対の開閉扉と、
左右の側板の凹溝と左右の梁の凹溝との間にそれぞれ開閉自在に嵌着される２対の引き戸と、
横支柱の凹溝と後桁の凹溝との間にそれぞれ開閉自在に嵌着される１対の引き戸と、
左右の前角パイプの上端近くまたは前桁下面に着脱自在に連結されて前上方への開閉が可能であるとともに前桁と正面腰板の間を封鎖可能な煽り戸と、
を備えたことを特徴とする組立屋台。
【請求項３】
請求項１または２に記載の組立屋台において、
煽り戸の下部を分割して本体部と蝶番により連結し前上方への折り返しを可能にしたことを特徴とする組立屋台。
【請求項４】
請求項２または３に記載の組立屋台において、
煽り戸の左右端下部と左右の前角パイプの中間部とにそれぞれ両端が係止されて煽り戸を開放状態に保つ１対の支持棒を備えたことを特徴とする組立屋台。
【請求項５】
請求項１乃至４のいずれかに記載の組立屋台において、
前記正面腰板の内側上方から正面腰板の上端の高さに作業台を着脱自在に挿着したことを特徴とする組立屋台。
【請求項６】
請求項１乃至５のいずれかに記載の組立屋台において、
前記各引き戸を透明合成樹脂製としたことを特徴とする組立屋台。
【請求項７】
請求項１乃至６のいずれかに記載の組立屋台において、
前記正面腰板と左右側面腰板の下面にそれぞれキャスタを取り付けたことを特徴とする組立屋台。
【請求項８】
請求項１乃至７のいずれかに記載の組立屋台において、
前記正面腰板の両端の下面にそれぞれ２個のキャスタを取り付けて正面腰板単独での自立を可能にしたことを特徴とする組立屋台。
【請求項９】
請求項１乃至８のいずれかに記載の組立屋台において、
前記正面腰板と左右側面腰板の下面の四隅にアジャスターフットを取り付けたことを特徴とする組立屋台。
【請求項１０】
請求項２乃至９のいずれかに記載の組立屋台において、
前記正面腰板の外側左右側面上部にそれぞれ埋め込み把手を取り付けたことを特徴とする組立屋台。
【発明の詳細な説明】
【０００１】
【発明の属する技術分野】
本発明は、焼き鳥等の移動販売に用いられる組立屋台に関し、詳しくは１人での組立および分解が容易であるとともに、分解後は軽自動車での運搬が可能な組立屋台に関する。
【０００２】
【従来の技術】
従来、組立分解が可能な「組立て式屋台」がある（特許文献１参照。）。これは、箱状の台部分に４本の支柱を建て屋根板を支えるように構成され、使用の際、食品等の商品を台部分に載せて、販売員は屋台の外で販売するものである。
【０００３】
【特許文献１】
登録実用新案第３０１９６８０号公報
【０００４】
【発明が解決しようとする課題】
ところで、焼き鳥の移動販売では衛生面での規制があり、保健所の指導により、左右側面と背面の３面が密閉された空間において販売する必要がある。そのため、上述の「組立て式屋台」では、左右側面と背面の３面が密閉される構造ではなく、焼き鳥の移動販売には使用できなかった。現状は、テントにより左右側面と背面と天井部分を覆う組立式の屋台が用いられている。しかし、このテント式屋台では１人での組立および分解が簡単ではないのと、油煙等によりテントが汚れやすく、汚れるとその清掃が面倒である等の問題があった。そこで、本発明は、１人での組立および分解が容易であるとともに、分解後は軽自動車での運搬が可能であり、さらに油煙に汚れた場合の清掃が容易な組立屋台を提案することを目的とする。
【０００５】
【課題を解決するための手段】
上記課題を解決するために、請求項１の発明は、正面腰板と左右側面の腰板を連結し、その上端四隅にそれぞれパイプを立て、後の２本のパイプの間の中間下寄りの位置を横支柱により連結し、前後の各パイプの間の下部分にそれぞれ左右の側板を嵌め、前の左右のパイプの上端を前桁により連結し、後の左右のパイプの上端を後桁により連結し、前桁の両端と後桁の両端をそれぞれ左右の梁により連結して屋根枠を形成し、その屋根枠の上を前屋根板および後屋根板により覆い、背面下部の開口部に左右１対の開閉扉を取り付け、背面上部の開口部および左右側面の開口部にそれぞれ１対の引き戸を嵌め込み、正面開口部に煽り戸を取り付けたことを特徴とする。
【０００６】
請求項２の発明は、左右端部が後方に折り返された形状であるとともに左右の角上部にそれぞれ垂直方向の角パイプ挿入穴が形成された正面腰板と、この正面腰板の右後端に抜き差し蝶番により連結されるとともに後端上部に垂直方向の角パイプ挿入穴が形成された右側面腰板と、前記正面腰板の左後端に抜き差し蝶番により連結されるとともに後端上部に垂直方向の角パイプ挿入穴が形成された左側面腰板と、前記正面腰板の角パイプ挿入穴にそれぞれ抜き差し自在挿入されるとともに後面下部に垂直方向の凹溝が形成されかつ上端部に段差を有する左右１対の前角パイプと、前記右側面腰板の角パイプ挿入穴に抜き差し自在に挿入されるとともに前面下部に垂直方向の凹溝が形成されかつ左面の中間下寄りの位置に係止片が突設されさらに上端部に段差を有する右後角パイプと、前記左側面腰板の角パイプ挿入穴に抜き差し自在に挿入されるとともに前面下部に垂直方向の凹溝が形成されかつ右面の中間下寄りの位置に係止片が突設されさらに上端部に段差を有する左後角パイプと、両端が右後角パイプの係止片と左後角パイプの係止片にそれぞれ係止されるとともに右後角パイプと左後角パイプにそれぞれパチン錠により連結されかつ上面長手方向に上向きの２列の凹溝が形成された横支柱と、右の前角パイプの凹溝と右後角パイプの凹溝に両端が着脱自在に挿入されるとともに上辺に上向きの２列の凹溝が形成された右側板と、左の前角パイプの凹溝と左後角パイプの凹溝に両端が着脱自在に挿入されるとともに上辺に上向きの２列の凹溝が形成された左側板と、両端に左右の前角パイプの上端段差部がそれぞれ抜き差し自在に挿通されるメガネ状の連結部が形成された前桁と、両端に左右の後角パイプの上端段差部がそれぞれ抜き差し自在に挿通されるメガネ状の連結部が形成されるとともに下面長手方向に下向きの２列の凹溝が形成された後桁と、前桁と後桁の右端の連結部をそれぞれ挿通した右の前後角パイプの上端が抜き差し自在に挿入される角パイプ挿入穴が両端に形成されるとともに下面長手方向に下向きの２列の凹溝が形成された右梁と、前桁と後桁の左端の連結部をそれぞれ挿通した左の前後角パイプの上端が抜き差し自在に挿入される角パイプ挿入穴が両端に形成されるとともに下面長手方向に下向きの２列の凹溝が形成された左梁と、各角パイプに挿入された前後の桁と左右の梁により形成される屋根枠の前半部を上方より覆う前屋根と、各角パイプに挿入された前後の桁と左右の梁により形成される屋根枠の後半部を上方より覆うとともに前屋根と下面側でパチン錠により連結される後屋根と、左右の側面腰板の後端内側および左右の後角パイプの下部内側にそれぞれ抜き差し蝶番により開閉自在に連結される左右１対の開閉扉と、左右の側板の凹溝と左右の梁の凹溝との間にそれぞれ開閉自在に嵌着される２対の引き戸と、横支柱の凹溝と後桁の凹溝との間にそれぞれ開閉自在に嵌着される１対の引き戸と、左右の前角パイプの上端近くまたは前桁下面に着脱自在に連結されて前上方への開閉が可能であるとともに前桁と正面腰板の間を封鎖可能な煽り戸とを備えたことを特徴とする。
【０００７】
請求項３の発明は、請求項１または２の発明において、煽り戸の下部を分割して本体部と蝶番により連結し前上方への折り返しを可能にしたことを特徴とする。
【０００８】
請求項４の発明は、請求項２または３の発明において、煽り戸の左右端下部と左右の前角パイプの中間部とにそれぞれ両端が係止されて煽り戸を開放状態に保つ１対の支持棒を備えたことを特徴とする。
【０００９】
請求項５の発明は、請求項１乃至４のいずれかの発明において、前記正面腰板の内側上方から正面腰板の上端の高さに作業台を着脱自在に挿着したことを特徴とする。
【００１０】
請求項６の発明は、請求項１乃至５のいずれかの発明において、前記各引き戸を透明合成樹脂製としたことを特徴とする。
【００１１】
請求項７の発明は、請求項１乃至６のいずれかの発明において、前記正面腰板と左右側面腰板の下面にそれぞれキャスタを取り付けたことを特徴とする。
【００１２】
請求項８の発明は、請求項１乃至７のいずれかの発明において、前記正面腰板の両端の下面にそれぞれ２個のキャスタを取り付けて正面腰板単独での自立を可能にしたことを特徴とする。
【００１３】
請求項９の発明は、請求項１乃至８のいずれかの発明において、前記正面腰板と左右側面腰板の下面の四隅にアジャスターフットを取り付けたことを特徴とする。
【００１４】
請求項１０の発明は、請求項２乃至９のいずれかの発明において、前記正面腰板の外側左右側面上部にそれぞれ埋め込み把手を取り付けたことを特徴とする。
【００１５】
【発明の実施の形態】
以下、図に沿って本発明の実施形態を説明する。
図１は本発明に係る組立屋台の正面図、図２は図１の煽り戸を開いた状態の右側面図、図３は図１の煽り戸を閉じた状態の左側面図、図４は図１の背面図である。これらの図において、１は正面腰板であり、左右端部が後方に折り返された形状であり、左右の角上部にそれぞれ垂直方向の角パイプ挿入穴（図示せず）が形成されている。また、正面腰板１の左右側面の上端近くに埋め込み式の把手２，３が取り付けられ、下面の両端にキャスタ４〜７が取り付けられ、さらに、下面の左右の隅にはアジャスターフット８，９が取り付けられている。正面腰板１は、把手２，３により持ち運びが容易となり、キャスタ４〜７により単独での自立および移動が可能となり、アジャスターフット８，９によりレベルの調整が可能となる。
【００１６】
正面腰板１の後ろ側には、抜き差し蝶番（図示せず）を介して右側面腰板１１および左側面腰板１２が連結され、右側面腰板１１および左側面腰板１２の後端上部に垂直方向の角パイプ挿入穴（図示せず）がそれぞれ形成されている。また、右側面腰板１１および左側面腰板１２の下面の後端近くにはキャスタ１３，１４が、後端にはアジャスターフット１５，１６が取り付けられている。
【００１７】
正面腰板１の両端の角パイプ挿入穴にはそれぞれ前角パイプ１７，１８が抜き差し自在挿入される。前角パイプ１７，１８の後面下部には垂直方向の凹溝（図示せず）が形成され、かつ上端部には一段細い段差（図示せず）が形成されている。
【００１８】
右側面腰板１１の後端の角パイプ挿入穴には、右後角パイプ２１が抜き差し自在に挿入され、右後角パイプ２１の前面下部には垂直方向の凹溝（図示せず）が形成され、かつ左面の中間下寄りの位置には係止片（図示せず）が突設されさらに上端部には一段細い段差が形成されている。
【００１９】
左側面腰板１２の後端の角パイプ挿入穴には、左後角パイプ２２が抜き差し自在に挿入され、左後角パイプ２２の前面下部には垂直方向の凹溝（図示せず）が形成され、かつ右面の中間下寄りの位置には係止片（図示せず）が突設されさらに上端部には一段細い段差が形成されている。
【００２０】
右後角パイプ２１の内側の係止片と左後角パイプ２２の内側の係止片には、横支柱２３の両端の係止片（図示せず）がそれぞれ係止され、さらに、横支柱２３は右後角パイプ２１と左後角パイプ２２にそれぞれパチン錠（図示せず）により連結され、かつ上面長手方向に上向きの２列の凹溝（図示せず）が形成されている。
【００２１】
右の前角パイプ１７の凹溝と右後角パイプ２１の凹溝に、右側板２４の両端が着脱自在に挿入されるとともに、右側板２４の上辺に上向きの２列の凹溝（図示せず）が形成されている。
【００２２】
左の前角パイプ１８の凹溝と左後角パイプ２２の凹溝に、左側板２５の両端が着脱自在に挿入されるとともに、左側板２５の上辺に上向きの２列の凹溝（図示せず）が形成されている。
【００２３】
左右の前角パイプ１７，１８の上端段差部には、前桁２６の両端に形成されたメガネ状の連結部（図示せず）がそれぞれ抜き差し自在に挿通されて、前角パイプ１７，１８の上端が連結されている。
【００２４】
左右の後角パイプ２１，２２の上端段差部には、後桁２７の両端に形成されたメガネ状の連結部（図示せず）がそれぞれ抜き差し自在に挿通されて、後角パイプ２１，２２の上端が連結されている。後桁２７の下面長手方向には下向きの２列の凹溝（図示せず）が形成されている。
【００２５】
前桁２６と後桁２７の右端の連結部をそれぞれ挿通した右の前後角パイプ１７，２１の上端には、右梁２８の両端に形成された角パイプ挿入穴（図示せず）が抜き差し自在に挿入され前後角パイプ１７，２１の上端が連結されている。右梁２８の下面長手方向には下向きの２列の凹溝（図示せず）が形成されている。
【００２６】
前桁２６と後桁２７の左端の連結部をそれぞれ挿通した左の前後角パイプ１８，２２の上端には、左梁２９の両端に形成された角パイプ挿入穴（図示せず）が抜き差し自在に挿入され前後角パイプ１８，２２の上端が連結されている。左梁２９の下面長手方向には下向きの２列の凹溝（図示せず）が形成されている。
【００２７】
前後の桁２６，２７と左右の梁２８，２９により形成される屋根枠の前半部は上方より前屋根３１により覆われ、その後半部は上方より後屋根３２により覆われ、さらに、前屋根３１と後屋根３２は下面側でパチン錠（図示せず）により連結されている。
【００２８】
左右の側面腰板１１，１２の後端内側および左右の後角パイプ２１，２２の下部内側には、それぞれ抜き差し蝶番（図示せず）により左右１対の開閉扉３３，３４が開閉自在に連結されている。開閉扉３３，３４は閉じられた状態で、横支柱２３にキャッチ金具（図示せず）により係止される。この開閉扉３３，３４は屋台内部への出入口となる。
【００２９】
左右の側板２４，２５の凹溝と左右の梁２８，２９の凹溝との間には、それぞれ開閉自在に２対の引き戸３５〜３８が嵌着されている。同様に、横支柱２３の凹溝と後桁２７の凹溝との間には、開閉自在に１対の引き戸４１，４２が嵌着されている。これら引き戸３５〜３８，４１，４２は、透明なポリカーボネート樹脂からなる。
【００３０】
左右の前角パイプ１７，１８の間には、その上端近くまたは前桁２６下面に、煽り戸４３が着脱自在に連結されている。煽り戸４３は、前上方への開閉が可能であるとともに前桁２６と正面腰板１の間を封鎖することが可能である。煽り戸４３は、前上方へ開いた状態で、前角パイプ１７，１８の中間部に下端がそれぞれ係止された１対の支持棒４４，４５により支持される。支持棒４４，４５は、煽り戸４３が閉じられるときは、取り外される。なお、煽り戸４３の下部ほぼ４分の１が分断されて、その分断部４３ａは、煽り戸４３の本体部と蝶番により結合され、上方への折り返しが可能に支持されている。
【００３１】
正面腰板１の上端および左右の側面腰板１１，１２の前部上端の高さすなわち左右の側板２４，２５の下端のレベルに、内側からステンレス板からなる作業台４６が着脱自在に挿着されている。
【００３２】
図５は図１〜図４に示した組立屋台の分解斜視図である。図中、１ａ，１ｂは正面腰板１の左右の角上部にそれぞれ垂直方向に形成された角パイプ挿入穴である。１１ａ，１２ａは右側面腰板１１および左側面腰板１２の後端上部にそれぞれ垂直方向に形成された角パイプ挿入穴である。２１ａ，２２ａは右後角パイプ２１および左後角パイプ２２の前面下部にそれぞれ垂直方向に形成された凹溝である。２２ｂは左後角パイプ２２の右面の中間下寄りの位置に突設された係止片である。角パイプ１７，１８，２１，２２の上下端部には、それぞれ一段細い段差が形成されている。２３ａ，２３ｂは横支柱２３の両端に突設された係止片であり、２３ｃは横支柱２３の上面長手方向に形成された上向きの２列の凹溝である。２４ａ，２５ａは右側板２４および左側板２５の上辺にそれぞれ形成された上向きの２列の凹溝である。２６ａ，２６ｂ，２７ａは前桁２６および後桁２７の両端にそれぞれ形成されたメガネ状の連結部である。２８ａ，２８ｂ，２９ａ，２９ｂは右梁２８および左梁２９の両端にそれぞれ形成された角パイプ挿入穴である。２８ｃ，２９ｃは右梁２８および左梁２９の下面長手方向にそれぞれ形成された下向きの２列の凹溝である。
【００３３】
上述した組立屋台の各部品は主にアルミ材、一部ステンレスにより作成され、大きさは間口、奥行きとも手で抱えられる１２０〜１３０ｃｍ程度に、高さも１７０〜１８０ｃｍ程度に作成される。それにより、組立および分解を工具を用いることなく、１人で行うことが可能となる。また、キャスタ付きであるため、組立後の移動が可能となる。さらには、アジャスターフット付きであるため、レベル調整も可能である。こうして屋台が組立られて所定位置に据えられると、出入口となる開閉扉３３，３４を開けて、内部にシンク、調理器具、食材等を入れ、内部に販売員が１人はいることで焼き鳥等の調理および販売が可能となる。
【００３４】
【発明の効果】
以上述べたように本発明によれば、腰板により正面と左右側面を囲い、その上方に４本の角パイプを立てて屋根を支えるとともに、背面と左右側面に引き戸を嵌め、背面下部に開閉戸を取り付け、さらに前面に煽り戸を設ける構成とし、それらを工具なしで組立および分解が可能にしたことにより、次のような効果が得られた。
（１）各部品を小型化するとともにアルミ材等を用いて軽量化することで、女性１人でも工具を用いることなく短時間に組立・分解することが可能となり、出店、撤去が容易となる。
（２）下面にキャスタを取り付けたことで、組立後の移動が自在である。
（３）下面の四隅にアジャスターフットを取り付けたことで、設置場所が完全に平坦でなくても設置が可能となる。
（４）各部品が小型化されたことで、部品一式を軽自動車でも運搬することが可能となる。
（５）汚れた場合の洗浄も、部品単位で行うことで簡単になる。
【図面の簡単な説明】
【図１】本発明に係る組立屋台の正面図である。
【図２】図１の煽り戸を開いた状態の右側面図である。
【図３】図１の煽り戸を閉じた状態の左側面図である。
【図４】図１の背面図である。
【図５】図１〜図４に示した組立屋台の分解斜視図である。
【符号の説明】
１  正面腰板
２，３  把手
４〜７  キャスタ
８，９  アジャスターフット
１１  右側面腰板
１２  左側面腰板
１３，１４  キャスタ
１５，１６  アジャスターフット
１７，１８  前角パイプ
２１  右後角パイプ
２２  左後角パイプ
２３  横支柱
２４  右側板
２５  左側板
２６  前桁
２７  後桁
２８  右梁
２９  左梁
３１  前屋根
３２  後屋根
３３，３４  開閉扉
３５〜３８，４１，４２  引き戸
４３  煽り戸
４４，４５  支持棒
４６  作業台
１ａ，１ｂ，１１ａ，１２ａ  角パイプ挿入穴
２１ａ，２２ａ  凹溝
２２ｂ，２３ａ，２３ｂ  係止片
２３ｃ，２４ａ，２５ａ  凹溝
２６ａ，２６ｂ，２７ａ  メガネ状の連結部
２８ａ，２８ｂ，２９ａ，２９ｂ  角パイプ挿入穴
２８ｃ，２９ｃ  凹溝
４３ａ  分断部
【図１】
2004270138.tif 000003
【図２】
2004270138.tif 000004
【図３】
2004270138.tif 000005
【図４】
2004270138.tif 000006
【図５】
2004270138.tif 000007